(57)【要約】      （修正有）【課題】より正確な心拍信号を測定できる心拍計内蔵インサートイヤホンを提供する。【解決手段】前外殼１０、回路基板アセンブリ２０、後外殼３０、導光管４０を有し、前外殼は、前方へと延伸し、導音管１１を形成し、導音管は後方へと陥没し、少なくとも１個の光透化槽１２を形成し、回路基板アセンブリは、固定部材２１、回路基板２２、スピーカー２３、光学センサー２４を有し、固定部材中央部には、導音孔２１１を開設し、回路基板は、固定部２２１、連接部２２２、取り付け部２２３を有し、固定部は、固定部材を覆い、スピーカーは、取り付け部に取り付けられ、光学センサーは、前外殼の光透化槽に対応し、固定部外表面に固定され、後外殼は、前外殼後端に蓋をし、導光管は、円形の管底４１を有し、導光管の管底は、回路基板アセンブリの固定部材の導音孔に対応し、導音口４２を開設し、導光管の管底は、前外殼の光透化槽に対応し、後方へと突出し、少なくとも１個の光透化片４３を形成し、導光管は、前外殼の導音管外に取り付けらる。【選択図】図２
0003209196.tif 000002
【実用新案登録請求の範囲】
【請求項１】
心拍計内蔵インサートイヤホンであって、前外殼、回路基板アセンブリ、後外殼、導光管を有し、
前記前外殼は、前方へと延伸し、筒状の導音管を形成し、前記導音管の前端縁は後方へと陥没し、少なくとも１個の光透化槽を形成し、
前記回路基板アセンブリは、固定部材、回路基板、スピーカー、少なくとも１個の光学センサーを有し、前記固定部材中央部には、前後に貫通した導音孔を開設し、前記回路基板は、固定部、前記固定部後端縁と連接する連接部、前記連接部と連接する取り付け部を有し、前記固定部は、前記固定部材を覆い、前記スピーカーは、前記回路基板の取り付け部に取り付けられ、しかも前記スピーカーは、前記固定部材の導音孔に向かい、前記光学センサーは、前記前外殼の光透化槽に対応し、前記回路基板の固定部外表面に固定され、
前記後外殼は、前記前外殼後端に蓋をし、
前記導光管は、円形の管底を有し、前記導光管の管底は、前記回路基板アセンブリの固定部材の導音孔に対応し、導音口を開設し、前記導光管の管底は、前記前外殼の光透化槽に対応し、後方へと突出し、少なくとも１個の光透化片を形成し、前記導光管は、前記前外殼の導音管外に取り付けられ、前記導光管の光透化片は、前記前外殼の光透化槽内に対応して係合されることを特徴とする心拍計内蔵インサートイヤホン。
【請求項２】
前記前外殼の導音管内壁は、内部へと突出し、少なくとも１個の係合保持ブロックを形成し、
前記係合保持ブロックは、棒状で前後に延伸し、
前記回路基板アセンブリの固定部材は、前記前外殼の係合保持ブロックに対応し、前後に延伸した係合保持槽を陥没状に設置し、
前記前外殼の導音管の係合保持ブロックは、前記回路基板アセンブリの固定部材の係合保持槽内に係合して接続されることを特徴とする請求項１に記載の心拍計内蔵インサートイヤホン。
【請求項３】
前記回路基板アセンブリの回路基板の固定部は、前記固定部材外形に対応し、中空柱状を形成し、しかも前記固定部は、前記固定部材の係合保持槽に対応し、前後に延伸した開槽を貫通して設置し、これにより前記開槽と係合保持槽とは揃うことを特徴とする請求項２に記載の心拍計内蔵インサートイヤホン。
【請求項４】
前記固定部材は、三角柱状を呈することを特徴とする請求項１に記載の心拍計内蔵インサートイヤホン。
【請求項５】
前記管底の直径と前記前外殼の導音管の直径とは、一致することを特徴とする請求項１に記載の心拍計内蔵インサートイヤホン。
【考案の詳細な説明】
【技術分野】
【０００１】
本考案はイヤホンに関し、特に心拍計内蔵インサートイヤホンに関する。
【背景技術】
【０００２】
運動時に生理信号をモニタするのは、運動者にとって重要なニーズである。
生理信号において最も重要で、しかも参考価値が最も高い指標は、心拍数である。
よって、心拍数信号のモニタは、現在のウェアラブル生理信号測定デバイスの代表的な機能である。
【０００３】
ウェアラブル生理信号測定デバイスの多くは、電気信号の測定を主とするが、電気信号測定デバイスは構造が複雑で、着用も複雑であり、しかも使用者の随時探知をサポートできない。
光学信号測定を主とするウェアラブル生理信号測定デバイスは、以上の問題を解決することができる。
現在光学信号測定を主とするウェアラブル生理信号測定デバイスの多くは、心拍計内蔵インサートイヤホンで、光学センサーとイヤホンを結合することで、音楽が聞けるだけでなく、心拍信号をモニタすることもできる。
現在電気信号測定のイヤホンの多くは、外耳の構造を測定し、光学センサーは耳の下縁に位置するため、測定信号は皮膚表層のみである。
【０００４】
人体外耳位置の皮膚は薄く、外界環境光源が透化しやすいため、光学信号は環境光源の干渉を受けやすく、測定の不正確を招き易い。
よって、新しいイヤホンを設計することで、合理的で、しかも上述の問題を効果的に解決する考案が待たれている。
【考案の概要】
【考案が解決しようとする課題】
【０００５】
本考案の目的は心拍信号を正確に測定できる心拍計内蔵インサートイヤホンの提供にある。
【課題を解決するための手段】
【０００６】
本考案による心拍計内蔵インサートイヤホンは、前外殼、回路基板アセンブリ、後外殼、導光管を有する。
該前外殼は、前方へと延伸し、筒状の導音管を形成する。
該導音管の前端縁は後方へと陥没し、少なくとも１個の光透化槽１２を形成する。
該回路基板アセンブリは、固定部材、回路基板、スピーカー及び少なくとも１個の光学センサーを有する。
該固定部材の中央部には、前後に貫通した導音孔を開設し、該回路基板は、固定部、該固定部後端縁と連接する連接部、該連接部と連接する取り付け部を有し、該固定部は、固定部材を覆う。
該スピーカーは、該回路基板の取り付け部に取り付けられ、しかも該スピーカーは、該固定部材の導音孔に向かう。
該光学センサーは、該前外殼の光透化槽に対応し、該回路基板の固定部外表面に固定される。
該後外殼は、前外殼後端に蓋をする。
該導光管は、円形の管底を有し、該導光管の管底は、該回路基板アセンブリの固定部材の導音孔に対応し、導音口を開設する。
該導光管の管底は、該前外殼の光透化槽に対応し、後方へと突出し、少なくとも１個の光透化片を形成する。
該導光管は、該前外殼の導音管１１外に取り付けられ、該導光管の光透化片は、該前外殼の光透化槽内に対応して係合される。
【考案の効果】
【０００７】
本考案心拍計内蔵インサートイヤホンは、回路基板アセンブリの光学センサー内耳位置にセットし、光学センサーは導光管の光透化片を通して内耳信号を測定し、より正確な心拍信号を測定することができる。
【図面の簡単な説明】
【０００８】
【図１】本考案心拍計内蔵インサートイヤホンの一実施形態の立体図である。
【図２】図１に示す心拍計内蔵インサートイヤホンの立体分解図である。
【図３】図１に示す心拍計内蔵インサートイヤホンの回路基板アセンブリの立体図である。
【図４】図１に示す心拍計内蔵インサートイヤホンから導光管を取り除いた模式図である。
【考案を実施するための形態】
【０００９】
図１〜図４に示す通り、本考案の心拍計内蔵インサートイヤホン１００は前外殼１０、回路基板アセンブリ２０、後外殼３０、導光管４０を有する。
【００１０】
図２に示す通り、前外殼１０は、前方へと延伸し、筒状の導音管１１を形成する。
導音管１１の前端縁は後方へと陥没し、少なくとも１個の光透化槽１２を形成する。
導音管１１内壁は、内部へと突出し、少なくとも１個の係合保持ブロック１３を形成し、係合保持ブロック１３は、棒状で前後に延伸する。
【００１１】
図２に示す通り、回路基板アセンブリ２０は、三角柱状を呈する固定部材２１、回路基板２２、スピーカー２３、少なくとも１個の光学センサー２４を備える。
【００１２】
図２〜図４に示す通り、固定部材２１中央部には、前後に貫通した導音孔２１１を開設する。
固定部材は、三角柱状を呈する。
固定部材２１は、前外殼１０の係合保持ブロック１３に対応し、前後に延伸した係合保持槽２１２を陥没状に設置する。
【００１３】
回路基板２２は、固定部２２１、固定部２２１後端縁と連接する連接部２２２、連接部２２２と連接する取り付け部２２３を有する。
固定部２２１は、固定部材２１外形に対応し、中空柱状を形成し、しかも固定部２２１は固定部材２１の係合保持槽２１２に対応し、前後に延伸した開槽２２４を貫通して設置する。
固定部２２１は、固定部材２１を覆い、開槽２２４と係合保持槽２１２とは揃う。
スピーカー２３は、回路基板２２の取り付け部２２３に取り付けられ、しかもスピーカー２３は、固定部材２１の導音孔２１１に向かう。
光学センサー２４は、前外殼１０の光透化槽１２に対応し、回路基板２２の固定部２２１外表面に固定される。
【００１４】
回路基板アセンブリ２０は、前外殼１０内に取り付けられる。
固定部材２１は、導音管１１内に設置され、前外殼１０の導音管１１の係合保持ブロック１３は、回路基板アセンブリ２０の固定部材２１の係合保持槽２１２内に係合して接続される。
光学センサー２４は、光透化槽１２位置に対応して取り付けられる。
【００１５】
図１に示す通り、後外殼３０は、前外殼１０後端に蓋をし、回路基板アセンブリ２０をその中に包む。
【００１６】
図１、図２に示す通り、導光管４０は、円形の管底４１を有し、管底４１の直径と前外殼１０の導音管１１の直径とは一致する。
導光管４０の管底４１は、回路基板アセンブリ２０の固定部材２１の導音孔２１１に対応し、導音口４２を開設する。
導光管４０の管底４１は、前外殼１０の光透化槽１２に対応し、後方へと突出し、少なくとも１個の光透化片４３を形成する。
導光管４０は、前外殼１０の導音管１１外に取り付けられる。
導光管４０の光透化片４３は、前外殼１０の光透化槽１２内に対応して係合される。
【００１７】
心拍計内蔵インサートイヤホン１００の使用時には、導光管４０と前外殼１０の導音管１１を内耳に挿入する。
すると、回路基板アセンブリ２０の光学センサー２４は、内耳位置に対応してセットされ、光学センサー２４は導光管４０の光透化片４３を通して、内耳位置の光信号を測定し、より正確な心拍信号を測定することができる。
【００１８】
本実施形態において、回路基板アセンブリ２０は、ブルートゥース（登録商標）モジュール（図示なし）をさらに有する。
ブルートゥース（登録商標）モジュールにより、光学センサー２４が検知した信号を外部設備に伝送し、リアルタイムモニターを提供し、また外部設備の信号を使用者に伝送することで、使用者は電話をかけたり受けたり、音楽を聞いたりすることができる。
【００１９】
上記を総合すると、本考案心拍計内蔵インサートイヤホン１００は、回路基板アセンブリ２０の光学センサー２４を内耳位置にセットし、光学センサー２４は導光管４０の光透化片４３を通して内耳信号を測定し、より正確な心拍信号を測定することができる。
【符号の説明】
【００２０】
１００  心拍計内蔵インサートイヤホン
１０  前外殼
１１  導音管
１２  光透化槽
１３  係合保持ブロック
２０  回路基板アセンブリ
２１  固定部材
２１１  導音孔
２１２  係合保持槽
２２  回路基板
２２１  固定部
２２２  連接部
２２３  取り付け部
２２４  開槽
２３  スピーカー
２４  光学センサー
３０  後外殼
４０  導光管
４１  管底
４２  導音口
４３  光透化片
【図１】
0003209196.tif 000003
【図２】
0003209196.tif 000004
【図３】
0003209196.tif 000005
【図４】
0003209196.tif 000006